(57)【要約】【課題】  マスカラ、アイライナー、液状口紅のような液体化粧料とその塗布具を収容する容器で、携帯に便利で、かつ、容器一つでどこででも化粧でき、化粧料の漏洩の不安もない液体化粧料容器を提案することを目的とする。【解決手段】  形状を略平板状に形成した、液体化粧料を貯蔵した容器本体と化粧料を塗布する塗布具を接合した蓋体からなる液体化粧料容器において、容器本体の側面には鏡面体を備え、容器本体の一端面には蓋体に接合した塗布具を容器本体に収容する塗布具挿入口を設け、塗布具挿入口から貯蔵部に向かって、しごき部と漏洩防止部を設けることによって本課題を解決する。【選択図】  図１
2006129945.tif 000002
【特許請求の範囲】
【請求項１】
形状を略平板状に形成した、液体化粧料を貯蔵する貯蔵部を備えた容器本体と、該容器本体の開口部を覆う蓋体とからなり、容器本体の略平板状の片面または両面に鏡面体を備えた化粧料容器において、蓋体の一端面には化粧料を塗布するための塗布体と塗布体支持棒からなる塗布具を接合し、容器本体の一端面には該塗布具を容器本体の貯蔵部内に収容するための塗布具挿入口を設け、塗布具挿入口から貯蔵部に向かって、塗布体に付着した過剰な化粧料のしごき部と化粧料の漏洩防止部とをそれぞれ一つまたは複数設けたことを特徴とする液体化粧料容器。
【請求項２】
前記液体化粧料容器の容器本体と蓋体が円弧嵌合で嵌合することを特徴とする請求項１に記載の液体化粧料容器。
【請求項３】
前記貯蔵部内に繊維束体、不織布等の多孔質体を内蔵したことを特徴とする請求項１〜２に記載の液体化粧料容器。
【発明の詳細な説明】
【技術分野】
【０００１】
本発明は、液体化粧料を収容した容器本体と化粧料を塗布する塗布具を接合した蓋体からなる携帯に便利な液体化粧料容器に関する。
【背景技術】
【０００２】
従来、形状が略平板状で、かつ、略平板状の本体に鏡面体を貼り付けた容器は存在する（例えば、特許文献１）。
【０００３】
しかし、この提案された容器は棒状体の収納容器であり、口紅等の棒状体を容器内に設けたスプリング手段により、容器本体内に係止した棒状体を容器の開口部外方側へ押し出すようにしたもので、機構も複雑であり、マスカラ、アイライナー、液状口紅のような液体化粧料とその塗布具を収納する液体化粧料容器とは、目的も機構もまったく相違するものである。
【０００４】
また、マスカラ、アイライナー、液状口紅のような液体化粧料は、容器に鏡が付いていないため、化粧時には別途手鏡等の鏡を用意する必要があった。また、容器を「横倒し」の状態で使用する場合、開口部から化粧料が漏洩する恐れがあり、特に粘度の低い液体の化粧料ではこの可能性が大であった。
【特許文献１】実公平８−９０３１号（特許請求の範囲等）
【発明の開示】
【発明が解決しようとする課題】
【０００５】
本発明は、前述した課題、すなわち、マスカラ、アイライナー、液状口紅のような液体化粧料とその塗布具を収容する容器で、携帯に便利で、かつ、容器一つでどこででも化粧でき、化粧料の漏洩の不安もない液体化粧料容器を提案することを目的とする。
【課題を解決するための手段】
【０００６】
本発明者らは、上記課題等に鑑み、これを解決しようとするものであり、形状を略平板状に形成した、液体化粧料を貯蔵した容器本体と化粧料を塗布する塗布具を接合した蓋体からなる液体化粧料容器において、容器本体の側面には鏡面体を備え、容器本体の一端面には蓋体に接合した塗布具を容器本体に収容する塗布具挿入口を設け、塗布具挿入口から貯蔵部に向かって、しごき部と漏洩防止部を設けることによって、本発明を完成するに至ったのである。
すなわち、本発明は、次の（１）〜（３）の発明によって構成される。
（１）形状を略平板状に形成した、液体化粧料を貯蔵する貯蔵部を備えた容器本体と、該容器本体の開口部を覆う蓋体とからなり、容器本体の略平板状の片面または両面に鏡面体を備えた化粧料容器において、蓋体の一端面には化粧料を塗布するための塗布体と塗布体支持棒からなる塗布具を接合し、容器本体の一端面には該塗布具を容器本体の貯蔵部内に収容するための塗布具挿入口を設け、塗布具挿入口から貯蔵部に向かって、塗布体に付着した過剰な化粧料のしごき部と化粧料の漏洩防止部とをそれぞれ一つまたは複数設けたことを特徴とする液体化粧料容器。
（２）前記液体化粧料容器の容器本体と蓋体が円弧嵌合で嵌合することを特徴とする上記（１）に記載の液体化粧料容器。
（３）前記貯蔵部内に繊維束体、不織布等の多孔質体を内蔵したことを特徴とする上記（１）〜（２）に記載の液体化粧料容器。
【発明の効果】
【０００７】
本発明は、前記のように構成されており、携帯に便利で、かつ、容器一つでどこででも化粧でき、化粧料の漏洩の不安もない液体化粧料容器を提供することができるものである。
【発明を実施するための最良の形態】
【０００８】
以下に、本発明を実施するための最良の実施形態を図面により詳しく説明する。
図１は、本発明の液体化粧料容器の基本形態を示す平面断面図である。
この液体化粧料容器は、図１に示すように、略平板状の容器本体１０と蓋体２０からなり、容器本体１０内部には化粧料貯蔵部３０を設け、化粧料貯蔵部３０内には繊維束体、不織布等の多孔質体の塗布液吸蔵体３１を収納している。また、蓋体２０の容器本体１０に嵌合する一端面には、塗布体４１とそれを支持する塗布体支持棒４２からなる塗布具４０が接合されており、一方、容器本体１０の蓋体２０と嵌合する一端面には、蓋体２０に接合した塗布具４０を化粧料貯蔵部３０に収容するための塗布具挿入口５０を設け、塗布具挿入口５０から化粧料貯蔵部３０に向かって、しごき部５１及び漏洩防止部５２を設けた構造となっている。
【０００９】
図２は、図１における容器本体１０の平面部を示すものであり、表面に鏡面体６０を備えてある。また、容器本体１０の蓋体２０と嵌合する部分の一部には嵌合部７１の切り欠きを設けてある。
【００１０】
図３は、容器本体１０の容器本体１０の蓋体２０と嵌合する部分の側面部を示すものであり、その中央部には、液体塗布具挿入口５０が設けられ、内部にはしごき部５１、漏洩防止部５２がある。また、容器本体１０の蓋体２０と嵌合する部分の一部には嵌合部７１、７３の切り欠きを設けてある。過剰な「しごき」を避けるため、漏洩防止部５２を構成する部品は、しごき部５１よりも、肉厚を薄く、硬度は低くすることが望ましい。
【００１１】
図４は、容器本体１０の側面部を示すものであり、略平面状となっている。容器自体の扁平率を１０％〜２５％とすることで携帯に優れた形状となる。
【００１２】
図５は、蓋体２０の平面部を示すものであり、容器本体１０と嵌合する部分の中央には、先端に塗布体４１と、それを支持する塗布体支持棒４２からなる塗布具４０が接合してある。塗布体４１は、ブラシ、多孔質体、筆体等からなり、液体化粧料を塗布し易い材質よりなる。また、蓋体２０の容器本体１０と嵌合する部分の一部には、容器本体１０に設けた嵌合部７１、７３の切り欠きに相対して嵌合する凸状の嵌合部７２，７４が設けてある。
【００１３】
図７は、蓋体２０の側面部を示すものであり、略平面状となっている。
【００１４】
図８は、容器本体１０と蓋体２０の嵌合状態を示す概略図で、容器本体１０と蓋体２０とが円弧嵌合していることを示している。円弧嵌合にすることにより、蓋体２０が容器本体１０とより確実に嵌合するものである。
【００１５】
本発明は、以上のごとく構成されているので、簡単な構造で、携帯に便利で、かつ、容器一つでどこででも化粧でき、化粧料の漏洩の不安もない液体化粧料容器を提供することができるものである。
なお、上記実施例は、本発明の液体化粧料容器の一実施例を説明するもので、必ずしもこの構造に限定されるものではない。
【図面の簡単な説明】
【００１６】
【図１】本発明の液体化粧料容器の基本形態を示す平面断面図である。
【図２】図１における容器本体１０の平面部を示すものである。
【図３】容器本体１０の容器本体１０の蓋体２０と嵌合する部分の側面部を示すものである。
【図４】容器本体１０の側面部を示すものである。
【図５】蓋体２０の平面部を示すものである。
【図６】蓋体２０の側面部を示すものである。
【図７】蓋体２０の側面部を示すものである。
【図８】容器本体１０と蓋体２０の嵌合状態を示す概略図である。
【符号の説明】
【００１７】
１０：容器本体、２０：蓋体、３０：化粧料貯蔵部、３１：塗布液貯蔵体
４０：塗布具、４１：塗布体、４２：塗布体支持棒
５０：塗布具挿入口、５１：しごき部、５２：漏洩防止部
６０：鏡面体
７１〜７４：嵌合部
【図１】
2006129945.tif 000003
【図２】
2006129945.tif 000004
【図３】
2006129945.tif 000005
【図４】
2006129945.tif 000006
【図５】
2006129945.tif 000007
【図６】
2006129945.tif 000008
【図７】
2006129945.tif 000009
【図８】
2006129945.tif 000010